(57)【要約】      （修正有）【課題】屋外の狭い場所や凹凸のある場所の清掃に用いる小型、軽量、安価で使い易い手押し式スイーパーを提供する。【解決手段】垂直回転式スクリュー型ブラシを有する手押し式スイーパー１において、左フレームと右フレームの間には回転ブラシ本体２０が組み付けられ、回転ブラシ本体軸が挿入された左右のフレームの外側に出た回転ブラシ本体軸の左右端部に挿入した小径の外歯ギヤと左右のフレームの回転ブラシ本体軸の水平後方位置に外側に向けて取付けられた車輪軸に挿入された車輪３０の内側に設けられた大径の内歯ギヤが噛み合い、車輪の回転により車輪の内側に設けられた大径の内歯ギヤと回転ブラシ本体軸の小径の外歯ギヤは車輪の回転と同方向に回転し、車輪の回転より速く回転ブラシ本体が回転することを特徴とする。【選択図】図１
0003199039.tif 000002
【実用新案登録請求の範囲】
【請求項１】
垂直回転式スクリュー型ブラシを有する手押し式スイーパーにおいて、車輪に内臓した内歯ギヤとブラシ軸の外歯ギヤのギヤ比により、車輪の回転数の数倍でブラシを高速回転させる手押し式スイーパー。
【請求項２】
複数のスクリュー型ブラシを有したスイーパーにおいて、個々のブラシを着脱可能な構造とし、軟質ブラシや硬質ブラシなど異質なブラシを取り替え、組合せることにより多様な被清掃物を効果的かつ効率的に清掃ができる手押し式スイーパー。
【請求項３】
回転式ブラシを有したスイーパーにおいて、回転ブラシに付着したゴミを取り除くクシ歯を装着した手押し式スイーパー。
【請求項４】
回転式ブラシを有したスイーパーにおいて、左右対象で前方外側へ広がった左右のフレームに主要部品を取付ける部材を一体化した手押し式スイーパー。
【考案の詳細な説明】
【技術分野】
【０００１】
この考案は屋外の狭い場所や凹凸のある場所の清掃に用いる小型、軽量、安価
で使い易い手押し式スイーパーを提供する。
【背景技術】
【０００２】
屋外の清掃には箒や熊手を用い小石やゴミ、木の実、落ち葉などをかき集め塵
取りに入れた後、ゴミ袋などに収納し廃却するが、箒で清掃する作業と塵取りに
入れる作業の２つの作業が伴う。
【０００３】
屋外の清掃は小石やゴミ、木の実、落ち葉などをかき集める作業であるが、箒
や熊手では大きさや比重の異なる被清掃物は集めにくく、風でごみが拡散し作業
に手間かかり、また箒での清掃時には埃が舞い立ち不衛生である。
【０００４】
現在市販されている水平回転式のブラシを有するスイーパーはアスファルト
やコンクリートなどの平坦で広い地面の清掃には有効であるが、狭い場所や凹凸のある地面の清掃には適さない。
【０００５】
現在市販されているスイーパーは重量が重く、高価であり、ブラシを被清掃物
に合わせて取り替えることができない。また、補給部品としてのブラシも一体型ブラシを交換する必要があり費用がかかる。
【０００６】
スイーパーには手動式と動力式があり、動力式にはエンジンと電動があるが、
清掃時の音が大きく近所迷惑となる。
【０００７】
現在市販されているスイーパーのブラシには使用中にゴミなどが絡みつき清
掃力を弱めるため、使用中や使用後にブラシの清掃を行うことが必要である。
【０００８】
垂直回転ブラシを有した手押し式スイーパーは車輪とブラシが同軸上にあり、回転数が同じであるためブラシを速く回転させるためには車輪を速く動かす必要があり労力を要する。
【０００９】
特許文献１はスイーパーの車輪動力を増速回転してブラシに伝える機構であるが、複数個のギヤやベルトを用いており機構が複雑であり、且つ車輪の前後の回転に常時ブラシが追随し収集したゴミを吐き出す可能性がある。
【００１０】
特許文献２は２つのブラシを複数個のギヤを設けて同方向に垂直回転させる機構であり複雑な構造である。前後両方向にブラシが回転し収集したゴミを吐き出す可能性がある。またブラシは固定式であり交換ができない。
【００１１】
特許文献３は平行に隣接する２個の垂直回転ブラシでゴミを挟み込み上部へ運ぶ構造により上部の塵取りにゴミを収納するものであり、被清掃物の大きさに制約があり使用範囲が限られる。
【先行技術文献】
【特許文献】
【００１２】
【特許文献１】特許公開２００４−８１８１０
【特許文献２】特許公開２０００−１０２４９９
【特許文献３】特許公開２００２−２３３４８５
【考案の概要】
【考案が解決しようとする課題】
【００１３】
屋外の清掃には箒と塵取の２つの道具を必要とし、掃く作業と塵取に入れる作業が必要であり、掃く作業時には被清掃物が風で飛び散ったり埃が舞い不衛生である。
【００１４】
現在市販されている手押し式スイーパーは横幅が広く、重量も重く高価であり、凹凸の少ないアスファルトやコンクリートなどの広い面積の清掃には適しているが、狭い場所や凹凸のある地面の清掃には適さない。
【００１５】
手押し式垂直回転ブラシのスイーパーはブラシの回転駆動源となる車輪と回転ブラシ軸が同軸であり、車輪の回転数とブラシの回転数が同一であるため、ブラシを速く回転させるためには車輪を速く動かす必要があり労力を必要とする。
【００１６】
現在市販されているスイーパーの回転式ブラシには清掃時にごみなどが付着し清掃力を低下させるため頻繁にブラシのごみを取り除く必要がある。
【００１７】
現在市販されているスイーパーのブラシの硬さは一定であり被清掃物や清掃場所等によりブラシを選ぶことができない。また硬さの異なるブラシを組み合せることができない。
【００１８】
ブラシは消耗品であるがスイーパーのブラシは一体型で大きく高価である。
【００１９】
スイーパーは常にブラシに本体の重量がかかった状態にあり、ブラシの倒れや変形の原因となる。
【課題を解決するための手段】
【００２０】
上記目的を達成するため、本考案に係る手押し式スイーパーは以下の構成を有する。
（１）構造を単純化し車輪間の横幅を小さくし小型、軽量であり、掃く作業と塵取りに入    れる作業を同時に行うこと。
（２）車輪内側の内歯ギヤと回転ブラシ本体軸の外歯ギヤを連結させ、両ギヤのギヤ比に    より車輪の回転数に対し車輪の回転数の数倍でブラシを回転させること。
（３）車輪内側の内歯ギヤに連結する回転ブラシ本体軸に挿入する外歯ギヤの内側にカム    形状を形成し、回転ブラシ軸の穴に挿入したピンがカム内で摺動するとにより前進時    のみブラシが回転すること。
（４）手押し式スイーパーのカバー裏面に回転するブラシ体の回転範囲にごみ除去用クシ    歯を設けること。
（５）車輪と回転ブラシ本体軸を装着する左右のフレームの前側はそれぞれ外側に広がっ    た形状であること。
（６）ブラシユニットは９０度にねじれたスクリュー型形状をしており、複数個装着され    、常にいずれかのブラシ部が常に地面に設置していること。
（７）ブラシユニットの一部は樹脂成型されており、樹脂部には回転ブラシ本体軸のブラ    シユニット取付け円盤に取付けるための切欠き部とネジにより固定するブラシベース    取付け部を有していること。
（８）回転ブラシ本体軸には複数個の円盤状のブラシユニット取付け円盤があり、ブラシ    ユニット樹脂部のブラシベース切欠き部を差し込むブラシユニット切欠き部とネジ孔    を装着するブラシユニットの数だけ有していること。
（９）ブラシユニットは回転ブラシ本体軸上にある複数の円盤の切欠き部にブラシユニッ    トのスクリュー形状に沿って差し込みネジで固定でき、且つ脱着できること。
（１０）回転ブラシ本体はブラシユニットが偶数個装着できる構造であり、軟質材と硬質    材のブラシを交互に装着でき、脱着且つ組替えが可能であること。
（１１）車輪や回転ブラシ本体軸を組み付けるフレームにはすべての部品を装着するため    の車輪軸、回転ブラシ本体軸受、補助輪軸、ハンドル軸とカバー取付け用ネジ孔、塵    取りフレームストッパーが設けられていること。
（１２）ハンドルはフレームに設けられた軸により本体部と連結され、且つ上下一定範囲    で回動可能であること。また長手方向に分割されていること。
【考案の効果】
【００２１】
上記構成を有する手押し式スイーパーの作用、効果について説明する。小型軽量な手押し式スイーパーは屋外を清掃時に簡単に持ち運びができ、塵取りを用意することなく狭い場所や凹凸のある地面での掃き掃除と塵取り作業を同時に行うことができ、埃などが舞い上がることなく、老人や子供でも簡単、安全、衛生的に掃き掃除をすることができる。
【００２２】
また手押し式スイーパーは前進時のみ回転ブラシ本体が回転するため、前後に動かしてもゴミを排出する心配がなく、且つ増速ギヤでブラシを高速で回転でき効率的に清掃できる。
【００２３】
回転ブラシ本体のブラシユニットは９０度ねじれたスクリュー型形状をしており、ブラシ先端部が常に地面に接しており掃きムラのない清掃ができる。
【００２４】
上記手押し式スイーパーの回転ブラシ本体のブラシ体の回転範囲にはごみ取り用のクシ歯が設けてあり、回転ブラシ体に付着したゴミを掃除しながら自動的に取り除くことができ、面倒なブラシのゴミとり作業の必要がない。
【００２５】
上記手押し式スイーパーの左右フレームの前方外側は前方に向かって広がった形状で、回転ブラシの外側のゴミをかき集める形状となっており、また立てて収納する場合の支えとなることでブラシの倒れや変形を防止することができる。
【００２６】
上記手押し式スイーパーのフレーム前方両側に設置された補助輪と同じく左右フレームに設置された車輪により、回転ブラシの上下位置を規制することにより回転ブラシの不要な荷重によるブラシの倒れや変形を防止し長期間使用できる状態に保つことができる。
【００２７】
上記手押し式スイーパーの左右両側のフレームには車輪軸、回転ブラシ本体軸受、補助輪軸、ハンドル軸、カバー取付けネジ孔、塵取りフレームストッパーが取り付けられており、組み付け作業が容易にできる。
【００２８】
上記手押し式スイーパーのブラシユニットと回転ブラシ本体軸のブラシユニット取付け円盤は相互の切欠き部に差し込み、ネジにより固定されており、回転ブラシの交換や軟質、硬質ブラシの組換えを行うことができる。
【００２９】
上記手押し式スイーパーのハンドルは左右フレームのハンドル軸に回動可能に組み付けられており使用者の身長や作業姿勢に対して対応することができる。また長手方向で分割されており、梱包時のサイズを小さくすることができる。
【００３０】
上記手押し式スイーパーでかき集めたゴミを収納する塵取りは線材とごみが入りやすいフラットな底板とビニールなどでできた袋で構成され安価に製造でき、また使用者により任意な形状の塵取り袋を製作することが容易にできる。
【図面の簡単な説明】
【００３１】
【図１】実施形態に係る手押し式スイーパーを示す斜視図である。
【図２】図１に示す手押し式スイーパーの使用状態の説明図である。
【図３】図１に示す手押し式スイーパーの構成を示す説明図である。
【図４】図３に示す手押し式スイーパーの左フレームの説明図である。
【図５】図３に示す手押し式スイーパーの右フレームの説明図である。
【図６】図３に示す手押し式スイーパーの回転ブラシ本体の斜視図である。
【図７】図６に示す回転ブラシ本体の構成を示す説明図である。
【図８】図３に示す手押し式スイーパーの車輪の斜視図である。
【図９】図７に示す回転ブラシ本体軸の左ギヤの斜視図である
【図１０】図７に示す回転ブラシ本体軸の右ギヤの斜視図である
【図１１】図１０に示す回転ブラシ本体軸の右ギヤ図の構造を模式的に示す説明図である
【図１２】図３に示すカバーを下方から見た斜視図である。
【図１３】図１２に示すカバー部のクシ歯の作用状態を模式的に示す説明図である。
【図１４】図３に示す塵取りの斜視図である。
【図１５】図１４に示す塵取りの構成を示す説明図である。
【図１６】図３に示すハンドルの斜視図である。
【図１７】手押し式スイーパーを幅員方向に凹凸のある地面で使用する場合の作用状態を模式的に示す説明図である。
【図１８】手押し式スイーパーを幅員方向に傾斜のある地面で使用する場合の作用状態を模式的に示す説明図である。
【図１９】手押し式スイーパーのブラシユニットを４個装着した回転ブラシ本体であり、各ブラシが同一である状態を模式的に示す説明図である。
【図２０】手押し式スイーパーのブラシユニットを４個装着した回転ブラシ本体であり、各ブラシは２種類のブラシを交互に装着した状態を模式的に示す説明図である。
【図２１】変形例１に係る手押し式スイーパーにおいて、ブラシユニットを６個装着した回転ブラシ本体であり、各ブラシが同一である状態を模式的に示す説明図である。
【図２２】変形例１に係る手押し式スイーパーにおいて、ブラシユニットを６個装着した回転ブラシ本体であり、各ブラシは２種類のブラシを交互に装着した状態を模式的に示す説明図である。
【考案を実施するための形態】
【実施例】
【００３２】
以下、本考案に係る手押し式スイーパーについて、実施形態を図面に基づいて詳しく説明する。
図１は手押し式スイーパーの全体の斜視図であり、フレーム１０、回転ブラシ本体２０、ホイール３０、カバー４０、塵取り５０、ハンドル６０の主要な部品で構成されている。図２は手押し式スイーパーの使用状態説明図であり、人がハンドルを握り歩行しながら手押し式スイーパーを押して掃除を行う状態を示している。図３は手押し式スイーパーの構成を示す説明図である。フレーム１１と１２は左右対称形状をなしており、回転ブラシ本体２０を左右のフレーム１１、１２で挟み込み、車輪３０は左右フレーム１１，１２の外側にそれぞれ装着する。カバー４０は左右フレーム１１、１２の上部内側のカバー取付けネジ孔１１８、１２８にネジ止めし固定する。塵取り５０はカバー４０の塵取り用フック４０４とフレーム１１、１２の塵取り用ストッパー１１０、１２０により固定する。ハンドル６０は左右フレーム１１、１２のハンドル軸１１４、１２４に差し込みハンドル固定樹脂ナット１１７、１２７で固定する。
【００３３】
図４は左フレーム１１を示す。左フレーム１１の後方は車輪３０と相似形の半円形の形状であり、前方に向かって上部が下方に傾斜しており先端部は外側に折れ曲っている。左フレーム１１の周囲には全周にわたり外周リブが外側方向に設けられており、外周リブの内、半円形部分は他のリブより高く、車輪３０の内歯ギヤ３０１の円周外径部の内側に入り車輪３０の回転を妨げないように隙間が設けられている。左フレーム１１には車輪３０を取付ける車輪軸１１１が外側に向けて設けられおり、回転ブラシ本体軸２１を挿入する回転ブラシ本体軸受け１１２は左フレーム１１の中央部に設けられている。補助輪１１９を取付ける補助輪軸１１３が左フレーム１１の外側に向けて設けられており、ハンドル６０を取付けるハンドル軸１１４は左フレーム１１の後方上部に内側に向けて設けられている。また、カバー４０を取付けるネジ孔１１８が左フレーム１１上部に複数個設けられている。車輪３０を取付ける軸１１１は回転ブラシ本体軸受け１１２の後方にある。実施例では車輪３０の外径と回転ブラシ本体２０の外径が同一であるため、車輪軸１１１の中心と回転ブラシ本体軸受け１１２の中心は同一水平線上に設定されており、これらの位置関係は車輪３０の外径寸法と回転ブラシ本体２０の外径寸法により上下位置は変化するが、両者間の前後の中心位置は車輪３０の内側の車輪内歯ギヤ３０１と回転ブラシ本体軸２１に挿入される回転ブラシ本体軸左ギヤ２５の噛み合いによるギヤ間の中心寸法で決まる。補助輪１１９の補助輪軸１１３は左フレーム１１の前方折曲部と回転ブラシ本体軸受けの中間位置にあり、補助輪軸１１３の設置高さは車輪３０が接地し且つ回転ブラシ本体２０の先端が接地する位置に設けられている。ハンドル６０の取付け軸はハンドル６０を４５度傾けた時にフレーム１１，１２に組み付けられたカバー４０に緩衝しない位置にある。車輪軸１１１には車輪３０を挿入し、Ｅリング１１５で抜け止めする。補助輪軸１１３には補助輪１１９を挿入し、Ｅリング１１６で抜け止めする。ハンドル軸１１４にはハンドル６０の下部穴６０１を挿入し、ハンドルの角度を設定後、ハンドル固定樹脂ナット１１７で締めつけ固定する。図５は右フレーム１２を示す。右フレーム１２は左フレーム１１と左右対称の形状であり、装着する部品は前述の左フレーム１１と同一である。つまり車輪軸１２１と１１１、回転ブラシ本体軸受け１２２と１１２、補助輪軸１２３と１１３、ハンドル軸１２４と１１４、塵取り用ストッパー１２０と１１０、車輪軸Ｅリング１２５と１１５、補助輪１２９と１１９、補助輪軸Ｅリング１２６と１１６、ハンドル固定樹脂ナットは全て同一部品である。また、車輪３０、補助輪１２９、ハンドル６０の右フレーム１２への取付け方法も左フレーム１１と同様である。
【００３４】
図６は回転ブラシ本体２０を示す。回転ブラシ本体２０は回転ブラシ本体軸２１、ブラシベース２２１とブラシ体２２２からなるブラシユニット２２で構成される。ブラシユニット２２は９０度捩じったスクリュー型形状であり、またブラシ体２２２は軟質又は硬質の素材にて形成される。尚、ブラシ体２２２を支えるブラシベース２２１は樹脂で成形される。図７は回転ブラシ本体２０の構成を示す分解説明図である。回転ブラシ本体軸２１は中央部にブラシユニット取付け円盤２１１が複数個あり、各ブラシユニット取付け円盤２１１はブラシユニット２２を挿入するブラシユニット取付け切欠き部２１２とブラシユニット２２を固定するブラシユニット取付けネジ孔２１３が装着するブラシユニット２２と同じ数だけ設けられている。例えばブラシユニット２２を４個装着する場合にはブラシユニット取付け切欠き部２１２とブラシユニット取付けネジ孔２１３は９０度間隔で４か所設けられる。ブラシユニット取付け円盤２１１が回転ブラシ本体軸２１に３か所設けられる場合は左右のブラシユニット取付け円盤２１１の角度は９０度回転した状態にあり、中心位置のブラシユニット取付け円盤２１１は４５度回転した位置となる。ブラシユニット取付け円盤２１１にブラシユニット２２を取付ける場合はブラシベース２２に設けられたブラシユニット切欠き部２３１をブラシユニット取付け円盤２１１のブラシユニット取付け切欠き部２１２に差し込み、ブラシベース２２のブラシユニット取付け部２３２とブラシユニット取付け円盤２１１のブラシユニット取付けネジ孔２１３を合わせネジで固定する。回転ブラシ本体軸２１の左右両端には回転ブラシ本体軸カム用ピン２６を挿入する回転ブラシ本体軸ピン穴２１４が左右に設けられており、回転ブラシ本体軸２１の回転ブラシ本体軸ピン穴２１４に回転ブラシ本体軸カム用ピン２６を入れ、回転ブラシ本体軸右ギヤ２４と回転ブラシ本体軸左ギヤ２５を回転ブラシ本体軸２１にそれぞれ挿入する。挿入時は回転ブラシ本体軸カム用ピン２６が確実に左右の回転ブラシ本体軸ギヤ２４、２５の回転ブラシ本体軸ギヤ内カム部２４１、２５１内に収まっていることを確認する。回転ブラシ本体軸２１の左右には回転ブラシ本体軸位置決め部２１５のパイプ径が回転ブラシ本体軸受け１１２、１２２に合わせて設けてあり、左右のフレーム１１、１２の回転ブラシ本体軸受け１１２、１２２に挿入した時の位置決めとなっている。
【００３５】
図８は車輪３０を示す。車輪３０は右車輪と左車輪は同一である。実施例では車輪３０の径は回転ブラシ本体２０と同径である。左右の車輪３０の内側には車輪内歯ギヤ３０１が設けられており、回転ブラシ本体軸２１に装着された左右の回転ブラシ本体軸ギヤ２４、２５と噛み合う。車輪３０はその中心部の車輪軸受け３０２を左右のフレーム１１、１２の車輪軸１１１、１２１に差し込み、Ｅリング１１５、１２５で抜け止めし取付けられる。
【００３６】
図９は回転ブラシ本体軸２１の左側に挿入する回転ブラシ本体軸左ギヤ２５を示す。回転ブラシ本体軸左ギヤ２５は回転ブラシ本体軸左ギヤ部２５２と回転ブラシ本体軸左ギヤ部２５２の反対内側に設けられたブラシ本体軸左ギヤ内カム部２５１を有する。回転ブラシ本体軸左ギヤ部２５２は車輪３０の内歯ギヤ３０１と噛み合う。回転ブラシ本体軸左ギヤ２５のブラシ本体軸左ギヤ内カム部２５１内には回転ブラシ本体軸２１の左側の回転ブラシ本体軸ピン穴２１４に挿入した回転ブラシ本体軸カム用ピン２６が入りカム形状に沿って回転ブラシ本体軸ピン穴２１４内を摺動する。図１０は回転ブラシ本体軸２１の右側に挿入する回転ブラシ本体軸右ギヤ２４を示す。回転ブラシ本体軸右ギヤ２４は回転ブラシ本体軸右ギヤ部２４２と回転ブラシ本体軸右ギヤ部２４２の反対内側に設けられた回転ブラシ本体軸右ギヤ内カム部２４１を有する。回転ブラシ本体軸右ギヤ部２４２は車輪３０の内歯ギヤ３０１と噛み合う。回転ブラシ本体軸右ギヤ２４の回転ブラシ本体軸右ギヤ内カム部２４１内には回転ブラシ本体軸２１の右側の回転ブラシ本体軸ピン穴２１４に挿入した回転ブラシ本体軸カム用ピン２６が入りカム形状に沿って回転ブラシ本体軸ピン穴２１４内を摺動する。回転ブラシ本体軸右ギヤ２４と回転ブラシ本体軸左ギヤ２５は左右対称形状であり、左右の回転ブラシ本体軸ギヤ内カム２４１、２５１内を摺動する回転ブラシ本体軸カム用ピン２６は同一である。回転ブラシ本体軸右ギヤ２４と回転ブラシ本体軸左ギヤ２５内を摺動する回転ブラシ本体軸カム用ピン２６により回転ブラシ本体軸２１は前進方向にのみ回転し、後進方向では回転ブラシ本体軸カム用ピン２６はカム内を滑り回転ブラシ本体軸２１は回転しない構造となる。図１１は上述のカム２４１、２５１内をピン２６が摺動し、回転と制止する状態を模式的に示している。この回転と制止の動きは回転ブラシ本体軸２１に伝達され回転ブラシ本体の回転と制止を可能にする。
【００３７】
図１２はカバー４０を示す。カバー４０の裏面には複数個のクシ歯４０２が固定されている。カバー４０は左右のフレーム１１、１２に複数個設けられたネジ孔１１８、１２８とカバー両側に設けられた複数個の孔部４０３にネジを通し締めて固定される。図１３はカバー裏面のクシ歯４０２の作用状態を模式的に示す説明図である。クシ歯は複数個あり、回転ブラシ本体２０のブラシ体２２２の中間位置までの長さがあり、回転するブラシ内にクシ歯が通りブラシに付着したゴミを取り除き後方に落とす構造となっている。尚、カバー４０の後方には塵取りフレーム５１を引っ掛ける塵取りフレーム用フック４０４が設けられている。
【００３８】
図１４は塵取り５０を示す。塵取り５０は塵取りフレーム５１と塵取りプレート５２及び塵取り袋５３で構成される。図１５は塵取り５０の構成を示す。塵取りフレーム５１は線材で形成されており、上部にハンドル部５１１を有し底面後方は解放された形状である。塵取りプレート５２の左右両端は半円形状の断面を有する塵取りプレート取付け部５２１を有し、前方は下方に傾斜した形状の塵取りプレート前部５２２を形成している。また塵取りプレート５２の後方部の塵取りプレート後壁５２３は垂直に立ち上がっている。塵取りプレート５２の左右両側の塵取りプレート取付け部５２１は塵取フレーム５１の左右の線材に圧入する形状となっている。塵取り袋５３はビニールや帆布などの素材で形成されており、塵取り袋５３の左右両側面下部は塵取りフレーム５１の線材が入るように筒状に形成された塵取り袋フレーム挿入部５３１を有し、塵取りフレーム５１に挿入後、塵取りプレート５２で挟み込み固定する。前方上部は塵取りフレーム５１の線材に固定するためのホック又は面ファスナーが一体化されており、塵取フレーム５１に取付けられる。塵取り５０は図１３に示すカバー４０の後方の設けられた塵取りフレーム用フック４０４に塵取りフレーム５１の前方上部を掛け、図４、図５に示す左右のフレーム１１、１２の塵取り用ストッパー１１０、１２０に塵取りフレーム５１の前方の縦フレームを当て固定する。
【００３９】
図１６は手押し式スイーパーのハンドル６０を示す。ハンドルはパイプ材をコの字状に曲げ加工し、その両端のパイプ材を板状に潰した形状である。両端の板状部分には左右のフレーム１１、１２のハンドル取付け軸１１４、１２４に挿入する穴部６０１を有しており、取付け軸１１４、１２４に挿入後、取付け軸１１４、１２４のネジ部にハンドル固定樹脂ナット１１７、１２７で角度調節後に固定する。ハンドル６０は上下中間位置６０２で分割されており、下部パイプ材のハンドル挿入部６０３が上部パイプに差し込まれ、ハンドル固定ネジ６０４で固定される。
【００４０】
図１７及び図１８は本考案である手押し式スイーパーの凹凸面での作用状態を模式的に示した説明図である。本考案の手押し式スイーパーは小型であり横幅も狭く、ブラシ体が長いため両輪間の地面の凹凸に対し追随でき、きれいに清掃できる。
【００４１】
図１９及び図２０は回転ブラシ本体２０の断面を模式的に示した図であり、４個のブラシユニット２２を装着した状態を示す。図１９は４個のブラシユニット２２Ａは同一であり、図２０は４個のブラシユニット２２が硬質なブラシユニット２２Ａと軟質なブラシユニット２２Ｂが交互に装着された状態を示す。図２１及び図２２は変形実施例であり、６個のブラシユニット２２を装着した状態を示す。図２１は同一なブラシユニット２２Ｃで構成されている。図２２は６個のブラシユニット２２の内３個は硬質なブラシ体２２Ｃ、他の３個は軟質なブラシ体２２Ｄが交互に配置されている。図１９、図２０、図２１、図２２はブラシユニットの数が機種により４個、６個と構成できることを示しており、装着するブラシ体も硬質、軟質などを選べることを示している。
【産業上の利用可能性】
【００４２】
本考案品は一般家庭用のみならず、学校や公共施設など屋外の美化にも大いに貢献できるものである。従来のスイーパーでは清掃できなかった芝生の上の落ち葉や小石やゴミなどの被清掃物に対してブラシユニットを選ぶことにより効果的、効率的に清掃を実現する。
【符号の説明】
【００４３】
１  手押し式スイーパー
１０  フレーム
１１  左フレーム
１２  右フレーム
１１１，１２１  車輪軸
１１２，１２２  回転ブラシ本体軸受け
１１３，１２３  補助輪軸
１１４，１２４  ハンドル軸
１１５，１２５  車輪軸Ｅリング
１１６，１２６  補助輪軸Ｅリング
１１７，１２７  ハンドル固定樹脂ナット
１１８，１２８  カバー取付けネジ孔
１１９，１２９  補助輪
１１０，１２０  塵取用ストッパー
２０  回転ブラシ本体
２１  回転ブラシ本体軸
２１１  ブラシユニット取付け円盤
２１２  ブラシユニット取付け切欠き部
２１３  ブラシユニット取付けネジ孔
２１４  回転ブラシ本体軸ピン穴
２１５  回転ブラシ本体軸位置決め部
２２  ブラシユニット
２２１  ブラシベース
２２２  ブラシ体
２３１  ブラシベース切欠き部
２３２  ブラシベース取付け部
２４  回転ブラシ本体軸右ギヤ
２４１  回転ブラシ本体軸右ギヤ内カム部
２４２  回転ブラシ本体軸右ギヤ部
２５  回転ブラシ本体軸左ギヤ
２５１  回転ブラシ本体軸左ギヤ内カム部
２５２  回転ブラシ本体軸左ギヤ部
２６  回転ブラシ本体軸カム用ピン
３０  車輪
３０１  車輪内歯ギヤ
３０２  車輪軸受け
４０  カバー
４０１  カバー本体
４０２  クシ歯
４０３  フレーム取付け穴
４０４  塵取りフレーム用フック
５０  塵取り
５１  塵取りフレーム
５２  塵取りプレート
５２１  塵取りプレート取付け部
５２２  塵取りプレート前部
５２３  塵取りプレート後壁
５３  塵取り袋
５３１  塵取り袋フレーム挿入部
５３２  塵取り袋フレーム固定部
６０  ハンドル
６０１  フレーム取付け穴
６０２  ハンドル分割部
６０３  ハンドル挿入部
６０４  ハンドル固定ネジ
【図１】
0003199039.tif 000003
【図２】
0003199039.tif 000004
【図３】
0003199039.tif 000005
【図４】
0003199039.tif 000006
【図５】
0003199039.tif 000007
【図６】
0003199039.tif 000008
【図７】
0003199039.tif 000009
【図８】
0003199039.tif 000010
【図９】
0003199039.tif 000011
【図１０】
0003199039.tif 000012
【図１１】
0003199039.tif 000013
【図１２】
0003199039.tif 000014
【図１３】
0003199039.tif 000015
【図１４】
0003199039.tif 000016
【図１５】
0003199039.tif 000017
【図１６】
0003199039.tif 000018
【図１７】
0003199039.tif 000019
【図１８】
0003199039.tif 000020
【図１９】
0003199039.tif 000021
【図２０】
0003199039.tif 000022
【図２１】
0003199039.tif 000023
【図２２】
0003199039.tif 000024
【手続補正書】
【提出日】平成27年6月5日(2015.6.5)
【手続補正１】
【補正対象書類名】実用新案登録請求の範囲
【補正対象項目名】全文
【補正方法】変更
【補正の内容】
【実用新案登録請求の範囲】
【請求項１】
垂直回転式スクリュー型ブラシを有する手押し式スイーパーにおいて、左フレームと右フレームの間には回転ブラシ本体が組み付けられ、回転ブラシ本体軸が挿入された左右のフレームの外側に出た回転ブラシ本体軸の左右端部に挿入した小径の外歯ギヤと左右のフレームの回転ブラシ本体軸の水平後方位置に外側に向けて取付けられた車輪軸に挿入された車輪の内側に設けられた大径の内歯ギヤが噛み合い、車輪の回転により車輪の内側に設けられた大径の内歯ギヤと回転ブラシ本体軸の小径の外歯ギヤは車輪の回転と同方向に回転し、車輪の回転より速く回転ブラシ本体が回転することを特徴とする手押し式スイーパー。
【請求項２】
請求項１に記載する手押し式スイーパーにおいて、回転ブラシ本体は回転ブラシ本体軸とブラシユニットを取付ける複数個のブラシユニット取付け円盤及び複数個の９０度捩じったスクリュー型形状のブラシユニットで構成され、ブラシユニット取付け円盤にはブラシユニットを差し込むブラシユニット取付け切欠き部とブラシユニット取付けネジ孔を複数個有し、ブラシユニットにはブラシベース切欠き部とブラシベース取付け部を有しており、ブラシユニットのブラシベース切欠き部とブラシユニット取付け円盤のブラシユニット取付け切欠き部を篏合させ、ブラシユニットのブラシベース取付け部とブラシユニット取付け円盤のブラシユニット取付けネジ孔を合わせネジ止めすることにより着脱可能にすることを特徴とする手押し式スイーパー。
【請求項３】
請求項１に記載する手押し式スイーパーにおいて、左フレームと右フレームの間に組付けられるカバーの裏面には回転ブラシ本体のブラシ体の回動範囲内に位置する複数のクシ歯が装着されており、ブラシ体が回転する時に常にクシ歯がブラシ体の内部を通る構成を特徴とする手押し式スイーパー。
【請求項４】
請求項１に記載する手押し式スイーパーにおいて、左フレームと右フレームは前方の一部が外側に広がった左右対称形状であり、左右のフレームにはそれぞれ回転ブラシ本体軸受け、車輪軸、カバー取付けネジ孔、補助輪軸、ハンドル軸、塵取用ストッパーが設けられており、左右のフレームの回転ブラシ本体軸受けに回転ブラシ本体軸を挿入後、左右の回転ブラシ本体軸ピン穴に回転ブラシ本体軸カム用ピンを挿入し、回転ブラシ本体軸左ギヤ及び回転ブラシ本体軸右ギヤを取付けた後、左右のフレームの外側に向いた車輪軸に車輪内側ギヤと回転ブラシ本体軸に取付けた回転ブラシ本体軸左ギヤ及び回転ブラシ本体軸右ギヤをかみ合わせた状態で車輪を挿入しＥリングで固定し、次に左右のフレームの上部に設けられたカバー取付けネジ孔にカバーのフレーム取付け穴を合わせてネジ止めした後、左右のフレームの外側に向いた補助輪軸に補助輪を挿入しＥリングで抜け止めし、最後に左右のフレームの内側に向いたハンドル軸にハンドルのフレーム取付け穴を挿入しナットで固定し組付けを完了後、使用時に左右フレームの内側に向けた塵取用ストッパーは塵取りフレームの上部をカバーの塵取りフレーム用フックに掛け、塵取りフレームの前方左右のフレームが塵取用ストッパーに当たり位置決めできる構造を特徴とする手押し式スイーパー。
【請求項５】
請求項１に記載する手押し式スイーパーにおいて、回転ブラシ本体軸の両端に組み付けられた回転ブラシ本体軸左ギヤと回転ブラシ本体軸右ギヤの内側にはそれぞれ回転ブラシ本体軸左ギヤ内カム部と回転ブラシ本体軸右ギヤ内カム部を有しており、回転ブラシ本体軸の左右には回転ブラシ本体軸ピン穴が設けられ、回転ブラシ本体軸ピン穴には回転ブラシ本体軸カム用ピンが挿入され、回転ブラシ本体軸カム用ピンはそれぞれ回転ブラシ本体軸左ギヤ内カム部及び回転ブラシ本体軸右ギヤ内カム部の内部をカム形状に沿って摺動し、回転ブラシ本体を前進方向のみに回転することを特徴とする手押し式スイーパー。